(57)【要約】【課題】操作ハンドルの引起し角度が小さくて操作性が良く、構造が簡略化されて製作コストを節減できる扉用ロックハンドル装置を提供する。【解決手段】作動レバー１２が枢軸５に関してラッチ１０の側に張出した牽引アーム部１３とラッチ１０の反対側に張出した受動アーム部１４を備え、牽引アーム部１３の先端スロット１５にラッチ１０の基端軸部１６が係合し、受動アーム部１４が装置本体１の底板１７の押棒挿入孔１８に対面し、作動レバー１２の円弧状スロット１９に操作ハンドル６の駆動ピン部２０が嵌められており、操作ハンドル６が倒伏した施錠状態において、駆動ピン部２０が円弧状スロット１９の基端部に係合している。操作ハンドル６の引起し回転の開始と同時に操作ハンドル６から作動レバー１２に回転力が伝達され、作動レバー１２の牽引アーム部１３によってラッチ１０の基端軸部１６が直ちに牽引される。【選択図】図４
2007321531.tif 000002
【特許請求の範囲】
【請求項１】
全体を流線形に形成し、相交差する二つの面の会合部を曲面によって形成し、一対の取付翼部２を上下側面部に形成し、前記取付翼部２の前面側に形成した窪み部２６の底部に扉３への固着具４が挿入される取付孔２７を形成し、前記窪み部２６に嵌め込み固定したカバープレート２８によって前記固着具４の頭部を隠蔽しするようにした装置本体１と、
前記装置本体１に枢軸５によって起伏可能に連結され、枢軸５より先端側の部位に先端錠止部１１を形成した操作ハンドル６と、
前記操作ハンドル６の長さ方向に整列して前記装置本体１に収容され、固定枠体７に固着された受金８と係合する位置に付勢バネ９によって突出付勢されたラッチ１０と、
前記装置本体１に収容され、前記枢軸５によって前記操作ハンドル６に連結され、前記枢軸５に関して前記ラッチ１０の側にある牽引アーム部１３に前記操作ハンドル６の前記先端錠止部１１が近接して配置され、前記牽引アーム部１３の先端スロット１５に前記ラッチ１０の基端軸部１６が係合し、前記枢軸５に関してラッチ１０の反対側にある受動アーム部１４が、前記装置本体１の底板１７に形成した押棒挿入孔１８に対面し、前記牽引アーム部１３と前記受動アーム部１４間に前記枢軸５を中心とする円弧状スロット１９が形成され、操作ハンドル６の倒伏状態において、操作ハンドル６に設けた駆動ピン部２０が前記円弧状スロット１９の基端部に係合している作動レバー１２と、
前記装置本体１に埋め込み装備され、前記操作ハンドル６の前記先端錠止部１１と係脱するロック板２３をロータ２２の先端部に固着してある錠前ユニット２１と、
前記扉３の内外貫通孔２４を通して前記底板１７の押棒挿入孔１８に挿入され、所定ストロークだけ前記装置本体１の内部に押し込まれたとき、前記作動レバー１２の前記受動アーム部１４を押し上げ、前記作動レバー１２の前記牽引アーム部１３によって前記ラッチ１０の前記基端軸部１６を牽引して、前記ラッチ１０を前記受金８から離脱させる庫内押棒２５とからなる扉用ロックハンドル装置。
【発明の詳細な説明】
【技術分野】
【０００１】
本発明は、業務用冷蔵庫や冷蔵庫等の扉に装着され、扉を庫本体等の固定枠体に対して施錠するのに使用される扉用ロックハンドル装置に関する。
【背景技術】
【０００２】
装置本体が一対の取付翼部を介して扉に固着され、前記装置本体に操作ハンドルが第１枢軸によって起伏可能に連結されており、固定枠体に固着された受金と係合するラッチが突出付勢されて前記装置本体に装備され、前記装置本体に収容された作動レバーが前記第１枢軸で前記操作ハンドルに連結され、前記作動レバーの受動アーム部が前記操作ハンドルの先端駆動部によって押され、前記受動アーム部が前記ラッチの基端被牽引部に係合しており、前記装置本体に収容されたリリースレバーが前記第２枢軸によって前記作動レバーに連結され、前記作動レバーの前記従動アーム部に係脱可能な作動アーム部が、前記装置本体の底板の押棒挿入孔に対面しており、前記底板に固着されたロックプレートの先端ロック部が前記ラッチの背面受部に係合することによって、前記ラッチが前記受金より離脱するのを阻止しており、前記装置本体に埋め込み装備された錠前ユニットのロータの先端部には、前記ロックプレートを駆動するロックカムを固着してあり、前記扉の内外貫通孔を通して前記底板の押棒挿入孔に庫内押棒を挿入して所定ストローク押し込むと、前記リリースレバーの操作アーム部が前記ロックプレートを押し下げて、前記先端ロック部を前記背面受部から離脱させる一方、前記リリースレバーの前記作動アーム部で前記作動レバーの前記従動アーム部を押して、前記ラッチの先端部を前記受金から離脱させるようにした扉用ロックハンドル装置は、既に知られている（特許文献１参照）。
【０００３】
しかしながら、この従来の扉用ロックハンドル装置では、ラッチと受金が係合した施錠状態において、操作ハンドルの先端駆動部が作動レバーの受動アーム部から相当離れているため、扉の解錠開放に当たって操作ハンドルを第１枢軸を中心に引起し回転させたとき、ある一定角度空転した後に操作ハンドルの先端駆動部から作動レバーの受動アーム部に回転力が伝達され、ある時間差を置いて作動レバーの受動アーム部によってラッチの基端被牽引部が牽引され、ラッチの先端部が受金から離脱して固定枠体に対する扉の施錠が解除される。
【０００４】
このように解錠の当初段階における操作ハンドルの引起し角度が大きいため、操作性が悪く、扉の解錠後、操作ハンドルを手前に引いて扉を開放するとき、操作ハンドルが扉に対して直立に近い急角度に配置され、操作ハンドルから手が滑り易くなってしまう難点がある。
【０００５】
レストラン等の厨房に設置されている業務用冷蔵庫に使用する場合、厨房内の衛星管理のために扉用ロックハンドル装置も頻繁に清掃対象となるのであるが、従来の扉用ハンドル装置では、操作ハンドルを含めた装置本体は角張った形態に形成され、相交差する二面の会合部が直角に形成されているため、清掃がし難いものであり、前記会合部に汚れが残ってしまうことがある。
【０００６】
また、装置本体の取付翼部を扉に固着するビスやボルト等の固着具の頭部が露出しているため、固着具の頭部が清掃の障害物となり、固着具の頭部の周囲に汚れが残留してしまうことがある。
さらにまた、前記操作ハンドルと前記ラッチの間に前記作動レバー及び前記リリースレバーという２枚のレバー部材を介在させるため、機構的に複雑となり製作加工コストがそれだけ嵩むことになった。
【０００７】
【特許文献１】公開実用新案昭和６０−７０１５７号公報
【発明の開示】
【発明が解決しようとする課題】
【０００８】
本発明の課題は、操作ハンドルの引起し角度が小さくて済むため操作性が良いとともに、清掃時の作業性も改善され、構造が簡略化されて製作コストを節減できる扉用ロックハンドル装置を提供することである。
【課題を解決するための手段】
【０００９】
本発明の扉用ロックハンドル装置は、全体を流線形に形成し、相交差する二つの面の会合部を曲面によって形成し、一対の取付翼部２を上下側面部に形成し、前記取付翼部２の前面側に形成した窪み部２６の底部に扉３への固着具４が挿入される取付孔２７を形成し、前記窪み部２６に嵌め込み固定したカバープレート２８によって前記固着具４の頭部を隠蔽しするようにした装置本体１と、
前記装置本体１に枢軸５によって起伏可能に連結され、枢軸５より先端側の部位に先端錠止部１１を形成した操作ハンドル６と、
前記操作ハンドル６の長さ方向に整列して前記装置本体１に収容され、固定枠体７に固着された受金８と係合する位置に付勢バネ９によって突出付勢されたラッチ１０と、
前記装置本体１に収容され、前記枢軸５によって前記操作ハンドル６に連結され、前記枢軸５に関して前記ラッチ１０の側にある牽引アーム部１３に前記操作ハンドル６の前記先端錠止部１１が近接して配置され、前記牽引アーム部１３の先端スロット１５に前記ラッチ１０の基端軸部１６が係合し、前記枢軸５に関してラッチ１０の反対側にある受動アーム部１４が、前記装置本体１の底板１７に形成した押棒挿入孔１８に対面し、前記牽引アーム部１３と前記受動アーム部１４間に前記枢軸５を中心とする円弧状スロット１９が形成され、操作ハンドル６の倒伏状態において、操作ハンドル６に設けた駆動ピン部２０が前記円弧状スロット１９の基端部に係合している作動レバー１２と、
前記装置本体１に埋め込み装備され、前記操作ハンドル６の前記先端錠止部１１と係脱するロック板２３をロータ２２の先端部に固着してある錠前ユニット２１と、
前記扉３の内外貫通孔２４を通して前記底板１７の押棒挿入孔１８に挿入され、所定ストロークだけ前記装置本体１の内部に押し込まれたとき、前記作動レバー１２の前記受動アーム部１４を押し上げ、前記作動レバー１２の前記牽引アーム部１３によって前記ラッチ１０の前記基端軸部１６を牽引して、前記ラッチ１０を前記受金８から離脱させる庫内押棒２５とからなる。
【発明の効果】
【００１０】
本発明の扉用ロックハンドル装置では、枢軸５によって操作ハンドル６に連結された作動レバー１２が、枢軸５に関してラッチ１０の側に張出した牽引アーム部１３と枢軸５に関してラッチ１０の反対側に張出した受動アーム部１４を有しており、牽引アーム部１３の先端スロット１５にラッチ１０の基端軸部１６が係合し、受動アーム部１４が装置本体１の底板１７の押棒挿入孔１８に対面し、牽引アーム部１３と受動アーム部１４間に形成した枢軸５を中心とする円弧状スロット１９に操作ハンドル６に設けた駆動ピン部２０が嵌められており、操作ハンドル６が倒伏した施錠状態において、前記駆動ピン部２０が円弧状スロット１９の基端部に係合しているため、扉３の解錠開放に当たって操作ハンドル６を枢軸５を中心に引起し回転させたとき、回転開始と同時に操作ハンドル６の駆動ピン部２０から作動レバー１２の受動アーム部１４に回転力が伝達され、作動レバー１２の牽引アーム部１３によってラッチ１０の基端軸部１６が直ちに牽引され、ラッチ１０の先端部が受金８から即座に離脱させられ、固定枠体７に対する扉３の施錠が解除され、扉３はそのまま操作ハンドル６を手前に引くことによって開放される。操作ハンドル６と作動レバー１２との間に遊動間隔が置かれていないため、操作ハンドル６の引起し角度は最小限で足りる。
【００１１】
このように解錠の当初段階における操作ハンドルの引起し角度が小さくて済むため、扉の解錠後、操作ハンドルを手前に引いて扉を開放するとき、操作ハンドルが扉に対して緩い角度に配置されることになり、操作ハンドルから手が滑ることがないので操作性に優れている。
【００１２】
また、装置本体１の全体を流線形に形成し、相交差する二つの面の会合部を曲面によって形成するとともに、取付翼部２に形成した窪み部２６の底部に固着具４が挿入される取付孔２７を形成し、窪み部２６に嵌め込み固定したカバープレート２８によって固着具４の頭部を隠蔽したので、清掃作業が容易であり、前記会合部や固着具の頭部周囲に汚れが残留してしまうことがなく、厨房内の衛生管理上も優れている。
【００１３】
本発明の扉用ロックハンドル装置では、操作ハンドル６または庫内押棒２５とラッチ１０の間には１枚の作動レバー１２が介在するだけであるから、構造的に簡略化され、製作加工コストの節減が可能である。
【実施例】
【００１４】
図示の実施例では、装置本体１の両側面の根元部にある正面視台形状の取付翼部２には、全長及び全幅にわたって細長い窪み部２６が形成されており、固着具４による装置本体１の取付け終了後、同形のカバープレート２８によって窪み部３１がフラットに埋め合わされ、固着具４が隠される。
【００１５】
レストランの終業等によって業務用冷蔵庫を当分開閉しないときには、無権限者による扉３の開放を阻止するために、錠前ユニット２１のロータ２２の鍵孔に所定の鍵２９が挿入され、ロータ２２に連結されたロック板２３を施錠方向に回すことによって、ロック板２３の先端部を、操作ハンドル６の先端錠止部１１の回動軌跡上に突出させる。これによって、操作ハンドル６を引起し回転させてラッチ１０を装置本体１側に後退摺動させようとしても、操作ハンドル６を所要角度まで回転させることができないため、作動レバー１２が作動することがなく、鍵２９をロータ２２から抜き取ることによって本格施錠が成立する。
【００１６】
ビス３５によってロータ２２の先端部に固着されたロック板２３の筒状根元部とロータ２２ユニット２１の先端部は、前記底板１７に形成した受筒部３０に収容されており、前記受筒部３０の頂面はロック板２３の支承部になっており、施錠状態において操作ハンドル６の先端錠止部１１を介して強い外力が作用しても、ロック板２３が歪曲変形しないようになっている。
【００１７】
この本格施錠を解除するには、鍵２９をロータ２２に挿入してロータ２２を逆方向に回し、ロック板２２の先端部を操作ハンドル６の先端錠止部１１の回動軌跡上から離脱させればよい。その後、操作ハンドル６を引起し回転させることによって、作動レバー１２の牽引アーム部１３を介してラッチ１０が解錠位置に牽引される。
【００１８】
本格施錠を解除する別の方法は、冷蔵庫の固定枠体７の内部に閉じ込められた作業員が、庫内押棒２５を使用して作動レバー１２の受動アーム部１４を駆動することである。庫内押棒２５を所定ストローク押し込むと、作動レバー１２の牽引アーム部１３を介してラッチ１０が解錠位置に牽引される。かくして、錠前ユニット２１を操作しなくても、固定枠体７の内側から解錠して脱出することができる。このとき、操作ハンドル６の駆動ピン部２０は作動レバーの円弧状スロット１９内を遊動する。
【００１９】
装置本体１は４個の取付孔２７を通るボルト型の固着具４によって扉３に固着される。ラッチ１０の先端部と受金８との係合深さを調整可能とするため、取付孔２７は装置本体１の長さ方向に長い長孔に形成されている。受金８は庫内側から袋ナット３１に螺合されるボルト３２によって、固定枠体７の正面縁枠部３３に固着されている。
装置本体１には、付加的に南京錠のフック棒の挿入孔３４を設けてある。
【図面の簡単な説明】
【００２０】
【図１】本発明の一実施例に係る扉用ロックハンドル装置の正面図である。
【図２】図１の扉用ロックハンドル装置の底面図である。
【図３】図１の扉用ロックハンドル装置の左側面図である。
【図４】図１のＡ−Ａ線断面図である。
【符号の説明】
【００２１】
１  装置本体
２  装置本体の取付翼部
３  業務用冷蔵庫の扉
４  装置本体の固着具
５  操作ハンドル用の枢軸
６  操作ハンドル
７  業務用冷蔵庫の固定枠体
８  受金
９  ラッチ用の付勢バネ
１０  ラッチ
１１  操作ハンドルの先端錠止部
１２  作動レバー
１３  作動レバーの牽引アーム部
１４  作動レバーの受動アーム部
１５  牽引アーム部の先端スロット
１６  ラッチの基端軸部
１７  装置本体の底板
１８  底板の押棒挿入孔
１９  作動レバーの円弧状スロット
２０  操作ハンドルの駆動ピン部
２１  錠前ユニット
２２  錠前ユニットのロータ
２３  ロック板
２４  扉の内外貫通孔
２５  庫内押棒
２６  取付翼部の窪み部
２７  装置本体の取付孔
２８  カバープレート
２９  鍵
３０  底版の受筒部
３１  受金の袋ナット
３２  受金のボルト
３３  固定枠体の正面縁枠部
３４  南京錠の挿入孔
３５  ロック板のビス
【図１】
2007321531.tif 000003
【図２】
2007321531.tif 000004
【図３】
2007321531.tif 000005
【図４】
2007321531.tif 000006